(57)【特許請求の範囲】
【請求項１】
順次接続されたＲＦ同調増幅部、局部発振回路からの局部発振周波数が入力されるミキサと、ＡＧＣ制御部およびＦＭ復調部と、ＦＭ復調部からの復調信号に基づいて映像信号及び音声信号をそれぞれ生成する映像処理部および音声処理部と、を含んでいる、衛星放送受信用チューナ装置において、前記ミキサに局部発振周波数を出力する局部発振回路が、音声処理部からのクロック信号に基づいて動作するように構成され、前記クロック信号は、バッファを介して前記局部発振回路に接続され、前記バッファと前記局部発振回路は前記ミキサ部内にて接続されることを特徴とする衛星放送受信用チューナ装置。
【発明の詳細な説明】
【０００１】
【発明の属する技術分野】
本発明は、放送衛星からの信号を受信して、映像信号および音声信号を生成するための、衛星放送受信用チューナ装置に関するものである。
【０００２】
【従来の技術】
従来、例えば衛星放送受信用チューナ装置は、図４に示すように、構成されている。
即ち、図４において、衛星放送受信用チューナ装置１は、ＢＳコンバータに接続されるべき入力端子２からの信号が入力されるＲＦ同調増幅部３，ミキサ４，ＩＦ増幅部５，ＡＧＣ制御部６およびＦＭ復調部７と、映像処理部８および音声処理部９と、を含んでいる。
【０００３】
ここで、上記ＲＦ同調増幅部３は、入力端子２からの信号に基づいて、所望の周波数成分の信号を取り出して、増幅し、ＲＦ信号を生成するようになっている。
【０００４】
上記ミキサ４は、局部発振回路４ａからの局部発振周波数が入力されていると共に、この局部発振回路４ａは、クリスタル発振器４ｂから基準周波数が入力されている。
さらに、ＡＧＣ制御部６からの制御信号が、ＲＦ同調増幅部３に入力されている。
【０００５】
また、映像処理部８は、映像処理ＩＣ８ａと、それに隣接したＳＡＷフィルタ（図示せず）とを備えている。
ここで、映像処理ＩＣ８ａは、図５に示すように、ディエンファシスローパスフィルタ８ｂ，エネルギー拡散信号除去回路８ｃおよび映像増幅回路８ｄから構成されており、ＦＭ復調部７からの復調信号に基づいて、ビデオ信号を生成する。
【０００６】
さらに、音声処理部９は、音声処理ＩＣから構成されており、図６に示すように、音声用のバンドパスフィルタ９ａ，ＱＰＳＫ復調回路９ｂ，ＰＣＭ復調回路９ｃおよびアナログ音声処理回路９ｄから構成されており、ＦＭ復調部７からの復調信号に基づいて、音声信号を生成する。
ここで、上記ＱＰＳＫ復調回路９ｂは、発振回路９ｅを備えており、この発振回路９ｅは、図示しないクリスタル発振器により、基準周波数の信号を生成するようになっている。
【０００７】
このように構成された衛星放送受信用チューナ装置１によれば、ＢＳコンバータからの信号が、ＲＦ同調増幅部３に入力されることにより、所望の周波数成分のみがＲＦ信号としてミキサ４に入力される。該ミキサ４には、発振器４ｂのクリスタル結晶によって決まる所定の局部発振周波数の発振信号が、局部発振回路４ａから入力されており、該ミキサ４は、ＲＦ同調増幅部３からの信号と該発振信号とを混合して、中間周波数（ＩＦ）信号を生成する。
【０００８】
上記ＩＦ信号は、ＩＦ増幅部５にて増幅され、ＡＧＣ制御部６によりゲインコントロールされた後、ＦＭ復調部７に入力される。該ＦＭ復調部７において、入力信号が復調されることにより、テレビジョン信号が出力されるようになっている。
【０００９】
かくして、このテレビジョン信号に基づいて、映像処理部８により、映像信号が生成されると共に、音声処理部９により、音声信号が生成される。この映像信号および音声信号が、図示しないテレビジョン装置やビデオ装置の入力端子に入力されることにより、ブラウン管などのディスプレイ装置に表示され、あるいはビデオテープに録画され得るようになっている。
【００１０】
【発明が解決しようとする課題】
ところで、このように構成された衛星放送受信用チューナ装置１においては、ＲＦ同調増幅部３と音声処理部９の双方に、それぞれ発振回路４ａ，９ｅのための基準周波数発生用のクリスタル発振器が備えられている。従って、このクリスタル発振器自体が比較的高価であることから、部品点数が多くなり、部品コストおよび組立コストが高くなってしまうという問題があった。
【００１１】
本発明は、以上の点に鑑み、簡単な構成により、コストが低減され得るようにした、衛星放送受信用チューナ装置を提供することを目的としている。
【００１２】
【課題を解決するための手段】
上記目的は、本発明によれば、順次接続されたＲＦ同調増幅部、局部発振回路からの局部発振周波数が入力されるミキサと、ＡＧＣ制御部およびＦＭ復調部と、ＦＭ復調部からの復調信号に基づいて映像信号及び音声信号をそれぞれ生成する映像処理部および音声処理部と、を含んでいる、衛星放送受信用チューナ装置において、前記ミキサに局部発振周波数を出力する局部発振回路が、音声処理部からのクロック信号に基づいて動作するように構成され、前記クロック信号は、バッファを介して前記局部発振回路に接続され、前記バッファと前記局部発振回路は前記ミキサ部内にて接続される。
【００１３】
上記構成によれば、局部発振回路が、音声処理部内の発振回路からのクロック信号に基づいて、局部発振周波数を生成して、ミキサに入力するので、上記局部発振回路に、クリスタル発振器を設ける必要がないので、部品点数が削減され、、コストが低減され得ることになる。
【００１４】
【発明の実施の形態】
以下、図面に示した実施形態に基づいて、本発明を詳細に説明する。
図１乃至図３は、本発明による衛星放送受信用チューナ装置の一実施形態の構成を示している。
【００１５】
図１において、衛星放送受信用チューナ装置１０は、ＢＳコンバータに接続されるべき入力端子１１からの信号が入力されるＲＦ同調増幅部１２，ミキサ１３，ＩＦ増幅部１４，ＡＧＣ制御部１５およびＦＭ復調部１６と、さらに同一ユニット内に配設された映像処理部１７および音声処理部１８と、を含んでいる。
【００１６】
上記ＲＦ同調増幅部１２は、入力端子１１からの信号に基づいて、所望の周波数成分の信号を取り出して増幅し、ＲＦ信号を生成するようになっている。
【００１７】
上記ミキサ１３は、ＰＬＬ回路を含む局部発振回路１３ａからの局部発振周波数が入力されている。
さらに、ＡＧＣ制御部１５からの制御信号が、ＲＦ同調増幅部１２に入力されている。
【００１８】
また、映像処理部１７は、図１に示すように、映像処理ＩＣ１７ａと、それに隣接したＳＡＷフィルタ１７ｂ，１７ｃとを備えている。
ここで、映像処理ＩＣ１７ａは、図２に示すように、ディエンファシスローパスフィルタ１７ｄ，エネルギー拡散信号除去回路１７ｅおよび映像増幅回路１７ｆから構成されており、ＦＭ復調部１６からの復調信号に基づいて、ビデオ信号を生成する。
【００１９】
さらに、音声処理部１８は、図１に示すように、音声処理ＩＣから構成されており、この音声処理ＩＣは、図３に示すように、音声用のバンドパスフィルタ１８ａ，ＱＰＳＫ復調回路１８ｂ，ＰＣＭ復調回路１８ｃおよびアナログ音声処理回路１８ｄから構成されており、ＦＭ復調部１６からの復調信号に基づいて、音声信号を生成する。
ここで、上記４相ＤＰＳＫ復調回路１８ｂは、発振回路１８ｅを備えており、この発振回路１８ｅは、クリスタル発振器１８ｆにより、基準周波数の信号を生成するようになっている。
【００２０】
さらに、ＳＡＷフィルタ１７ｂは、音声処理ＩＣのクロックのための例えば１８．４３ＭＨｚの振動周波数を有するように、構成されており、またＳＡＷフィルタ１７ｂは、映像処理ＩＣ１７ａのクロックそして映像処理ＩＣ１７ａおよび音声処理ＩＣのデジタルフィルタ用クロックのための例えば５．７２ＭＨｚの振動周波数を有するように、構成されている。
【００２１】
以上の構成は、図４乃至図６に示した従来の衛星放送受信用チューナ装置１と同様の構成であるが、本発明実施形態による衛星放送受信用チューナ装置１０においては、以下の点で異なる構成になっている。
【００２２】
即ち、上記衛星放送受信用チューナ装置１０のミキサ１３のための局部発振回路１３ａは、図１にて矢印で示すように、音声処理部１８のＱＰＳＫ復調回路１８ｂの発振回路１８ｅ（図３参照）からのクロック信号が、干渉を排除するために、バッファ回路１３ｂを介して入力され、このクロック信号に基づいて、局部発振周波数を生成するようになっている。
【００２３】
本発明実施形態による衛星放送受信用チューナ装置１０は、以上のように構成されており、ＢＳコンバータからの信号が、入力端子１１からＲＦ同調増幅部１２に入力されることにより、所望の周波数成分のみがＲＦ信号としてミキサ１３に入力される。該ミキサ１３には、音声処理部１８の発振回路１８ｅからのクロック信号に基づいて局部発振回路１３ａにより生成された所定の局部発振周波数の発振信号が入力されており、該ミキサ１３は、ＲＦ同調増幅部１２からの信号と該発振信号とを混合して、中間周波数信号ＩＦを生成する。
【００２４】
上記中間周波数信号ＩＦは、ＩＦ増幅部１４にて増幅され、ＡＧＣ制御部１５によりゲインコントロールされた後、ＦＭ復調部１６に入力される。該ＦＭ復調部１６において、入力信号が復調されることにより、テレビジョン信号が生成される。
【００２５】
そして、このテレビジョン信号は、映像処理部１７および音声処理部１８に入力される。これにより、映像処理部１７においては、ビデオ信号が生成されると共に、音声処理部１８においては、音声信号が生成される。かくして、このビデオ信号および音声信号が、図示しないテレビジョン装置やビデオ装置の入力端子に入力されることにより、ブラウン管などのディスプレイ装置に表示され、あるいはビデオテープに録画され得るようになっている。
【００２６】
この場合、衛星放送受信用チューナ装置１０のミキサ１３の局部発振回路１３ａには、音声処理部１８のＱＰＳＫ復調回路１８ｂの発振回路１８ｅ（図３参照）からのクロック信号が入力され、局部発振回路１３ａは、このクロック信号に基づいて、局部発振周波数を生成するようになっているので、この局部発振回路１３ａのためのクリスタル発振器が不要となる。従って、部品点数が少なく済み、部品コストおよび組立コストが低減され得ると共に、局部発振回路１３ａのためのクリスタル発振器の実装スペースが不要となるので、全体として小型に構成され得ることになる。
【００２７】
尚、上記実施形態においては、音声処理部１８からのクロック信号は、干渉を排除するために、バッファ１３ｂを介して、ミキサ１３の局部発振回路１３ａに入力されているが、バッファ１３ｂの代わりに、抵抗およびコンデンサを直列に接続することにより、アイソレーションをとるようにしてもよい。
【００２８】
また、衛星放送受信用チューナ装置１０は、その入力側に、ＢＳ分配器１９が備えられていてもよい。この場合、入力端子１１からのＢＳ信号は、ＢＳ分配器１９に入力され、二つの分配出力のうち、一方の分配出力が、出力端子２０から外部に出力されると共に、他方の分配出力が、ＲＦ同調増幅部１２に入力される。
これにより、外部に分配器を備える必要なく、他の機器、例えばテレビ受像機やビデオ装置等に、ＢＳ信号を分配することが可能となる。
【００２９】
【発明の効果】
以上述べたように、本発明によれば、局部発振回路が、音声処理部内の発振回路からのクロック信号に基づいて、局部発振周波数を生成して、ミキサに入力するので、上記局部発振回路に、クリスタル発振器を設ける必要がないので、部品点数が削減され、、コストが低減され得ることになる。
【００３０】
かくして、本発明によれば、簡単な構成により、コストが低減され得るようにした、極めて優れた衛星放送受信用チューナ装置が提供され得ることになる。
【図面の簡単な説明】
【図１】本発明による衛星放送受信用チューナ装置の一実施形態における構成を示す概略図である。
【図２】図１の衛星放送受信用チューナ装置の映像処理部の構成を示すブロック図である。
【図３】図１の衛星放送受信用チューナ装置の音声処理部の構成を示すブロック図である。
【図４】従来の衛星放送受信用チューナ装置の一例を示すブロック図である。
【図５】図４の衛星放送受信用チューナ装置の映像処理部の構成を示すブロック図である。
【図６】図４の衛星放送受信用チューナ装置の音声処理部の構成を示すブロック図である。
【符号の説明】
１０      衛星放送受信用チューナ装置
１１      入力端子
１２      ＲＦ同調増幅部
１３      ミキサ
１３ａ    局部発振回路
１３ｂ    バッファ
１４      ＩＦ増幅部
１５      ＡＧＣ制御部
１６      ＦＭ復調部
１７      映像処理部
１８      音声処理部
１８ｅ    発振回路
１８ｆ    クリスタル発振器
【図１】
0003743081.tif 000002
【図２】
0003743081.tif 000003
【図３】
0003743081.tif 000004
【図４】
0003743081.tif 000005
【図５】
0003743081.tif 000006
【図６】
0003743081.tif 000007